(57)【要約】      （修正有）【課題】カーペットに敷きこむ発光具で、標示や広告宣伝等の文字やデザインを、より目立たせる為のカーペット発光具を提供する。【解決手段】カーペットと同等の厚みに形成されたフレーム枠２内に配列された照度の高いＬＥＤ発光体１、フレーム枠２から着脱自在に構築され、下部に設けた緩衝板６によって補強されたＬＥＤ発光体１の光を拡散させるためのアクリル板等の表示板３を有し、このアクリル板の上面に宣伝文句やマーク等の短期キャンペン時に差し替え可能に載置された広告及び、この広告宣伝用フィルム４の上に装着された滑り止めを行う滑り止め用フィルム５により構成した。【選択図】図１
0003150211.tif 000002
【実用新案登録請求の範囲】
【請求項１】
本考案のカーペット用発光具は、人々が、多く踏むために強度を有し、カーペットと同等の厚みに形成されたフレーム枠、このフレーム枠内に配列された照度の高いＬＥＤ発光体、上記フレーム枠から着脱自在に構築され、下部に設けた緩衛板によって補強され、上記ＬＥＤ発光体の光を拡散させるためのアクリル板等の表示板、このアクリル板の上面に宣伝文句やマーク等の短期キャンペン時に差替え可能に載置された広告及び、この広告宣伝用フィルムの上に装着され、滑り止めを行う滑り止め用フィルムにより構成されたことを特徴とするカーペット用発光具。
【請求項２】
上記フレーム枠の外側形状を図５の２ａのごとく足が引っかからないように鋭角に形成した事を特徴とする請求項１記載のカーペット用発光具。
【考案の詳細な説明】
【技術分野】
【０００１】本考案は展示会や博覧会、商店等に敷き込んだカーペット用発光具に関するものである。
【背景の技術】
【０００２】従来カーペットを展示会や商店の入口等に敷き込んだものは、例えば、カーペット夜光塗料を塗布したり、マットの回りに発光体を四方に装着したり、床パネルに凹部を設けて回りに放電管を配置したりしたものであったが、広告宣伝部分が狭かったり又、床からの高さが厚く、足が引っかかったりした欠点があり、そして共に目立つまでは致らなかった。又カーペットの代わりとして、ＥＬシートを発光させたりしたものがあったが、やはり、広告宣伝効果が薄かった。
【考案の開示】
【考案が解決しようとする課題】
【０００３】カーペットを敷きこんだ展示会等に宣伝文句等を目立たせるには、従来夜光塗料にしたり、ＥＬシートにしたものであったが、明るい展示場等には目立たなかった。本考案では照度の高いものが必要であり、近年多く使用され出したＬＥＤ発光体を使用する。その結果照度が高くなり、電力消費も少なく効果が大きい。又カーペットの厚みと同等の高さにしないと、足が引っかかって危険があった。本考案では敷きこむカーペットと厚みを同等のフレームを形成し、足が引っかからないよう工夫してある。そして、短期キャンペーン等には広告宣伝等の文句や写真等を交換する必要がある。
【課題を解決するための手段】
【０００４】検討の結果開発したものが、本体枠フレームの内部にＬＥＤ発光体を並べ、本体枠内にアクリル板等の表示板を装備し、表示板の上面には広告宣伝等のフィルムを差込み、最上部には滑り止め用フィルムを付着させ、最下部にはクッションとなる緩衝板を嵌め込んである構造、本体枠フレームの外面カーペットの厚みと同等の寸法の形状にしたカーペット用発光具である。すなわち、本考案は  人々が、多く踏むために強度を有し、カーペットと同等の厚みに形成されたフレーム枠、このフレーム枠内に配列された照度の高いＬＥＤ発光体、上記フレーム枠から着脱自在に構築され、下部に設けた緩衛板によって補強され、上記ＬＥＤ発光体の光を拡散させるためのアクリル板等の表示板、このアクリル板の上面に宣伝文句やマーク等の短期キャンペン時に差替え可能に載置された広告及び、この広告宣伝用フィルムの上に装着され、滑り止めを行う、滑り止め用フィルムにより構成されたものである。
【考案の効果】
【０００５】本考案の発光具をカーペットに敷きこむ事により比較的明るい場所でも目立つ事が出来、展示場や博覧会、商店等の入口に置く事により、お客様の歓迎挨拶になったり、人の移動誘導に利用したり、会社のロゴを表示する事により会社のイメージアップになる。又緊急用避難誘導に使用したりと多岐にわたり、大きな効果が得られる。特に、本考案はＬＥＤ発光体を使用したため、照度が高く、より目立つ事が出来、又厚みをカーペットと同等にしたため、足が引っかからず、そして、短期キャンペーン等に使用する時には簡単に宣伝用フィルムを交換出来る新しい効果がある。
【考案を実施するための最良の形能】
【０００６】本考案のカーペット用発光具は展示会等に於いて、人々が多く足を踏むための強度を有し、そして足が、引っかからないようにカーペットの厚みと同等の外側フレーム枠を形成し、このフレーム枠の内部にＬＥＤ発光体を数１０個並べる。上記フレーム枠から着脱自在に構築された表示板は、ＬＥＤ発光体の光を拡散させるためのアクリル板等を用い、この表示板の上には宣伝広告の文字やロゴフィルムを乗せる。フィルム板の最上部には足が滑れないように滑り止めを装着させる。又最下部には上記表示板を補強するための緩衝板を設けて構成したものである。
【実施例１】
【０００７】以下、本考案の実施例を図面に基づいて説明する。
図１及び図２は本考案の実施例１を示す。
図１は、本考案のカーペット用発光具の断面図（ａ）と平面図（ｂ）である。
図２は、本考案のカーペット用発光具を使用した平面図である。
図１，２において、１は本考案の発光体であり、近年になって、消費電力が少なく、小さな電球で、しかも強い照度を発光し、耐久性もあるため信号機や各種照明機具使用されるものと同等のものを使用する。又、本考案はＥＬフィルムを使用したものよりも照度の高いＬＥＤ発光体を使用している。
２は、本考案のカーペット用発光具のフレーム枠であり、カーペットに敷きこんだ実施例１では、人々が多く踏むために強度を有し、フレーム枠外側の寸法をカーペットと同等の厚みに形成し、人々の足が引っかからないように構築している。
３は、発光具の光を拡散させる為のアクリル板等の表示板であり、フレーム枠２から着脱可能に構築し、後記する下部の緩衝版６によって、強度を保たれている。
４は、アクリル板等の表示板３の上面に乗せる標示や広告宣伝用フィルムであり、差変え可能な構造となっており、宣伝文句やマーク等短期キャンペン時に差し換える事が出来、実用性が高い効果を演出する。
５は、滑り止め用フィルムで、カーペット用発光具１の上を沢山の人が通る所に置く事が多く、足が滑れないように、最上面に装着したものである。
６は、カーペット用発光具１の最下部に嵌め込んだ緩衝版で、アクリル板等の表示板３を重圧に耐えるように構築している。
図２は、お客様が展示会や博覧会、商店等において、歩く方向性を分かりやすくした案内標示の実施例である。博覧会や水族館等で人が多く集まる所では混雑し見る人がぶつかり合い、人の流れがスムーズにいかないので案内標示によって混乱を回避する事が出来る効果が大きい。
【実施例２】
【０００８】次に実施例２について説明する。図３は実施例２の平面図を示し、お客様を迎えた挨拶標示で、入口側に設置すると、会社のイメージアップや商店ではお客の誘導になり効果が大きい。
【実施例３】
【０００９】次に実施例３について説明する。図４は、実施例３の平面図を示し、入口や出口を分かりやすくするための標示した実施例であり、カーペットに本考案の発光具を敷きこんだものであり、入口や出口を変更する時でも、瞬時に変更可能であり、間違のない誘導が出来る効果がある。
【実施例４】
【００１０】図２、図３、図４におけるカーペットタイル７は５００ｍｍ正方形のタイルカーペットを実施した例であるが、本考案の発光具を５００ｍｍ×１０００ｍｍに製作すれば、タイルカーペット７を２枚分の大きさにする事が出来る。又ポイント的に何枚か複数使用可能である。タイルカーペットではなく、薄いパンチカーペット等に於いては、寸法は５００ｍｍに限った事ではない。
【実施例５】
【００１１】次に実施例４について説明する。図５は実施例４の平面図を示し、厚みの少ないパンチカーペットやビニールタイル７ａに発光具を使用する時には、フレーム枠２の外側の形状を鋭角（２ａ）にして、足が引っかからないような構造にしたものである。
【図面の簡単な説明】
【００１２】
【図１】は本考案の実施例１を示し（ａ）は、１部切欠いて示した発光具の平面図と（ｂ）断面図である。
【図２】は本考案の実施例１を示す平面図である。
【図３】は本考案の実施例２を示す平面図である。
【図４】は本考案の実施例３を示す平面図である。
【図５】は本考案の実施例４を示す断面図である。
【符号の説明】
【００１３】１、  ＬＥＤ発光体
２、  フレーム枠
２ａ、フレーム枠の角度
３、  表示板
４、  広告宣伝用標示フィルム
５、  滑り止め用フィルム
６、  緩衝板
７、  タイルカーペット
７ａ、パンチカーペットやビニールタイル
８、  本考案の発光具
【図１】
0003150211.tif 000003
【図２】
0003150211.tif 000004
【図３】
0003150211.tif 000005
【図４】
0003150211.tif 000006
【図５】
0003150211.tif 000007
【手続補正書】
【提出日】平成21年1月7日(2009.1.7)
【手続補正１】
【補正対象書類名】実用新案登録請求の範囲
【補正対象項目名】請求項２
【補正方法】変更
【補正の内容】
【請求項２】
上記フレーム枠の外側形状を、足が引っかからないように鋭角に形成した事を特徴とする請求項１記載のカーペット用発光具。